Podtech/llm-jp-corpus-v4-ja_patent huggingface dataset:
【手続補正書】
【提出日】平成26年1月17日(2014.1.17)
【手続補正１】
【補正対象書類名】特許請求の範囲
【補正対象項目名】全文
【補正方法】変更
【補正の内容】
【特許請求の範囲】
【請求項１】
被写体を透過した放射線分布を撮影する可搬型の撮影装置の外側に着脱可能に取り付けられる散乱線抑制用のグリッドであって、
前記放射線が入射する面側に配置されるグリッド本体を前記撮影装置に対して固定するための取付け部材を有するフレーム部材を備え、
前記取付け部材は、第１辺及び該第１辺に対向する第２辺に備えられ、前記第１辺と前記第２辺とを結ぶ第３辺及び該第３辺に対向する第４辺には備えられておらず、前記第１辺及び前記第２辺の一方に前記撮影装置を挟み込むような断面が略コの字状の折り曲げ部を備え、前記第１辺及び前記第２辺の他方に前記撮影装置の側面に係止する係止部を備えることを特徴とするグリッド。
【請求項２】
前記フレーム部材は、前記第３辺及び前記第４辺に、前記グリッド本体の端部を覆う機構を有することを特徴とする請求項１に記載のグリッド。
【請求項３】
前記機構は、撮影装置に向かって折り曲げられた形状であることを特徴とする請求項２に記載のグリッド。
【請求項４】
前記フレーム部材は、前記第３辺及び前記第４辺が前記撮影装置の外形よりも突出しないように構成されていることを特徴とする請求項１から３のいずれか１項に記載のグリッド。
【請求項５】
グリッド本体を固定するための取付け部材を有するフレーム部材を備え、前記取付け部材は、第１辺及び該第１辺に対向する第２辺に備えられ、前記第１辺と前記第２辺とを結ぶ第３辺及び該第３辺に対向する第４辺には備えられておらず、前記第１辺及び前記第２辺の一方に断面が略コの字状の折り曲げ部を備え、前記第１辺及び前記第２辺の他方に係止部を備える散乱線抑制用のグリッドが着脱可能に外側に取り付けられ得る、被写体を透過した放射線分布を撮影する可搬型の撮影装置であって、
前記第３辺及び前記第４辺と対向する辺には設けられておらず、且つ、前記折り曲げ部と前記係止部が前記撮影装置の側面に係止されるように、段差が設けられた筐体を有することを特徴とする撮影装置。
【請求項６】
散乱線抑制用のグリッドと、該グリッドが着脱可能に外側に取り付けられ得る、被写体を透過した放射線分布を撮影する可搬型の撮影装置と、を有する放射線画像撮影装置であって、
前記グリッドは、前記放射線が入射する面側に配置されるグリッド本体を前記撮影装置に対して固定するための取付け部材を有するフレーム部材を備え、前記取付け部材が、第１辺及び該第１辺に対向する第２辺に備えられ、前記第１辺と前記第２辺とを結ぶ第３辺及び該第３辺に対向する第４辺には備えられておらず、前記第１辺及び前記第２辺の一方に前記撮影装置を挟み込むような断面が略コの字状の折り曲げ部と前記第１辺及び前記第２辺の他方に前記撮影装置の側面に係止する係止部とを備えており、
前記撮影装置は、前記第３辺及び前記第４辺と対向する辺には設けられておらず、且つ、前記折り曲げ部と前記係止部が前記撮影装置の側面に係止されるように、段差が設けられた筐体を有することを特徴とする放射線画像撮影装置。
【手続補正２】
【補正対象書類名】明細書
【補正対象項目名】００２１
【補正方法】変更
【補正の内容】
【００２１】
上記課題を解決するための発明は、被写体を透過した放射線分布を撮影する可搬型の撮影装置の外側に着脱可能に取り付けられる散乱線抑制用のグリッドであって、
前記放射線が入射する面側に配置されるグリッド本体を前記撮影装置に対して固定するための取付け部材を有するフレーム部材を備え、
前記取付け部材は、第１辺及び該第１辺に対向する第２辺に備えられ、前記第１辺と前記第２辺とを結ぶ第３辺及び該第３辺に対向する第４辺には備えられておらず、前記第１辺及び前記第２辺の一方に前記撮影装置を挟み込むような断面が略コの字状の折り曲げ部を備え、前記第１辺及び前記第２辺の他方に前記撮影装置の側面に係止する係止部を備えることを特徴とする。
【手続補正書】
【提出日】平成26年6月10日(2014.6.10)
【手続補正１】
【補正対象書類名】特許請求の範囲
【補正対象項目名】全文
【補正方法】変更
【補正の内容】
【特許請求の範囲】
【請求項１】
複数のリールと、各リールに対応して設けられたストップスイッチと、遊技の進行を制御する主制御手段と、遊技の演出を制御する副制御手段と、を備えた回胴式遊技機において、
前記主制御手段は、特定の条件を満たしたときにフリーズ演出を実行するフリーズ制御手段と、前記副制御手段にコマンドを送信するコマンド送信制御手段と、を備え、
前記フリーズ演出には、第１のフリーズ演出と、第１のフリーズ演出とは異なる第２のフリーズ演出とを含み、
前記コマンド送信制御手段は、前記第１のフリーズ演出を実行する場合には第１のコマンドを送信し、前記第２のフリーズ演出を実行する場合には第２のコマンドを送信し、
前記副制御手段は、前記フリーズ演出の実行内容に応じた演出を実行することを特徴とする回胴式遊技機。
【請求項２】
請求項１に記載の回胴式遊技機において、
リールを通常の回転態様で駆動制御する回胴回転制御手段を有し、
前記第２のフリーズ演出は、リールの回転を前記通常の回転態様とは異なる特殊の回転態様にてリールを駆動制御することを特徴とする回胴式遊技機。
【手続補正２】
【補正対象書類名】明細書
【補正対象項目名】０００７
【補正方法】変更
【補正の内容】
【０００７】
上述した課題の少なくとも一部を解決するために、本発明の回胴式遊技機は次の構成を採用した。すなわち、
複数のリールと、各リールに対応して設けられたストップスイッチと、遊技の進行を制御する主制御手段と、遊技の演出を制御する副制御手段と、を備えた回胴式遊技機において
前記主制御手段は、特定の条件を満たしたときにフリーズ演出を実行するフリーズ制御手段と、前記副制御手段にコマンドを送信するコマンド送信制御手段と、を備え、
前記フリーズ演出には、第１のフリーズ演出と、第１のフリーズ演出とは異なる第２のフリーズ演出とを含み、
前記コマンド送信制御手段は、前記第１のフリーズ演出を実行する場合には第１のコマンドを送信し、前記第２のフリーズ演出を実行する場合には第２のコマンドを送信し、
前記副制御手段は、前記フリーズ演出の実行内容に応じた演出を実行することを特徴とする。
さらに、リールを通常の回転態様で駆動制御する回胴回転制御手段を有し、
前記第２のフリーズ演出は、リールの回転を前記通常の回転態様とは異なる特殊の回転態様にてリールを駆動制御することを特徴とする。
また、参考的に開示する参考発明では、
遊技媒体を用いて賭数を設定することにより遊技が開始可能となり、複数の回胴の回転が停止することにより１回の遊技の結果が導出される回胴式遊技機において、
遊技の進行が所定時間遅延される遅延状態を発生させる遅延状態発生手段と、
前記遅延状態が発生することで、所定の特典を付与する特典付与手段とを備え、
前記遅延状態発生手段は、特定の条件が成立してから所定回数目の遊技で前記遅延状態を発生可能であり、前記特定の条件が成立してから前記所定回数目の遊技が行われるまでの遊技の内容によって、前記遅延状態を発生させる場合と、発生させない場合とがあることを特徴とする。
また、前記特定の条件が成立してから前記所定回数目の遊技が行われるまでに、前記遅延状態の発生可能性を示唆する演出を実行する演出実行手段を備えることを特徴とする。
【手続補正書】
【提出日】平成26年6月10日(2014.6.10)
【手続補正１】
【補正対象書類名】特許請求の範囲
【補正対象項目名】全文
【補正方法】変更
【補正の内容】
【特許請求の範囲】
【請求項１】
複数のリールと、各リールに対応して設けられたストップスイッチと、を備えた回胴式遊技機において、
遊技の進行が遅延する遅延状態を制御する遅延状態発生手段と、
遊技の実行に基づいて更新されるカウンタ値を記憶する記憶手段と、を備え、
前記遅延状態発生手段は、前記記憶手段に記憶されたカウンタ値が特定値となったことに基づいて遅延状態を発生可能とすることを特徴とする回胴式遊技機。
【請求項２】
請求項１に記載の回胴式遊技機において、
前記遅延状態が発生するまでに所定条件を満たした場合には、前記特定値に達するまでの遊技実行可能回数が増加することを特徴とする回胴式遊技機。
【手続補正２】
【補正対象書類名】明細書
【補正対象項目名】０００７
【補正方法】変更
【補正の内容】
【０００７】
上述した課題の少なくとも一部を解決するために、本発明の回胴式遊技機は次の構成を採用した。すなわち、
複数のリールと、各リールに対応して設けられたストップスイッチと、を備えた回胴式遊技機において、
遊技の進行が遅延する遅延状態を制御する遅延状態発生手段と、
遊技の実行に基づいて更新されるカウンタ値を記憶する記憶手段と、を備え、
前記遅延状態発生手段は、前記記憶手段に記憶されたカウンタ値が特定値となったことに基づいて遅延状態を発生可能とすることを特徴とする。
さらに、前記遅延状態が発生するまでに所定条件を満たした場合には、前記特定値に達するまでの遊技実行可能回数が増加することを特徴とする。
また、参考的に開示する参考発明では、
遊技媒体を用いて賭数を設定することにより遊技が開始可能となり、複数の回胴の回転が停止することにより１回の遊技の結果が導出される回胴式遊技機において、
遊技の進行が所定時間遅延される遅延状態を発生させる遅延状態発生手段と、
前記遅延状態が発生することで、所定の特典を付与する特典付与手段と、
前記遅延状態の発生に先立って行われる複数回の遊技の内容に基づいて、前記遅延状態の発生時間を設定する発生時間設定手段とを備え、
前記特典付与手段は、前記発生時間設定手段によって設定される時間が長いほど、有利な特典を付与することを特徴とする。
また、前記発生時間設定手段は、前記遅延状態の発生に先立って行われる複数回の遊技の夫々で、遊技の内容に応じた所定時間を取得可能であり、該夫々の遊技で取得した時間の総時間を前記遅延状態の発生時間として設定することを特徴とする。
【手続補正書】
【提出日】平成26年4月14日(2014.4.14)
【手続補正１】
【補正対象書類名】特許請求の範囲
【補正対象項目名】全文
【補正方法】変更
【補正の内容】
【特許請求の範囲】
【請求項１】
開始条件の成立に基づいて、各々を識別可能な複数種類の識別情報の可変表示を行い表示結果を導出表示する可変表示手段に特定表示結果が導出表示されたときに、遊技者にとって有利な特定遊技状態に制御する遊技機であって、
遊技者による動作を検出可能な検出手段と、
前記開始条件が成立したときに、前記可変表示手段に導出表示される表示結果を前記特定表示結果とするか否かを決定する事前決定手段と、
前記事前決定手段による決定前に、前記特定表示結果に決定されるか否かを判定する始動判定手段と、
前記事前決定手段による決定結果に基づいて、前記開始条件が成立した可変表示において前記検出手段による検出結果に基づく単独予告演出を実行する単独予告演出実行手段と、
前記始動判定手段による判定結果に基づいて、前記可変表示手段における複数回の可変表示にわたり連続予告演出を実行する連続予告演出実行手段とを備え、
前記単独予告演出実行手段により実行される前記単独予告演出と、前記連続予告演出実行手段により実行される前記連続予告演出とに応じて、前記特定遊技状態に制御される割合が異なる、
ことを特徴とする遊技機。
【手続補正２】
【補正対象書類名】明細書
【補正対象項目名】０００１
【補正方法】変更
【補正の内容】
【０００１】
本発明は、パチンコ遊技機等の遊技機に係り、詳しくは、開始条件の成立に基づいて、各々を識別可能な複数種類の識別情報の可変表示を行い表示結果を導出表示する可変表示手段に特定表示結果が導出表示されたときに、遊技者にとって有利な特定遊技状態に制御する遊技機に関する。
【手続補正３】
【補正対象書類名】明細書
【補正対象項目名】０００７
【補正方法】変更
【補正の内容】
【０００７】
（１）上記目的を達成するため、本願の請求項に係る遊技機は、開始条件の成立（例えばステップＳ２３１やステップＳ２３５にてＮｏと判定されたことなど）に基づいて、各々を識別可能な複数種類の識別情報（例えば特別図柄や飾り図柄など）の可変表示を行い表示結果を導出表示する可変表示手段に特定表示結果（例えば大当り図柄となる確定特別図柄や大当り組合せの確定飾り図柄など）が導出表示されたときに、遊技者にとって有利な特定遊技状態（例えば大当り遊技状態など）に制御する遊技機（例えばパチンコ遊技機１など）であって、遊技者による動作を検出可能な検出手段と、前記開始条件が成立したときに、前記可変表示手段に導出表示される表示結果を前記特定表示結果とするか否かを決定する事前決定手段（例えばＣＰＵ１０３がステップＳ２４０、Ｓ２４１の処理を実行する部分など）と、前記事前決定手段による決定前に、前記特定表示結果に決定されるか否かを判定する始動判定手段（例えばＣＰＵ１０３がステップＳ４０５、Ｓ４１１の処理を実行する部分など）と、前記事前決定手段による決定結果に基づいて、前記開始条件が成立した可変表示において前記検出手段による検出結果に基づく単独予告演出を実行する単独予告演出実行手段（例えば演出制御用ＣＰＵ１２０がステップＳ６５９にて決定した予告パターンなどに基づいて、ステップＳ５３５の処理を実行する部分など）と、前記始動判定手段による判定結果に基づいて、前記可変表示手段における複数回の可変表示にわたり連続予告演出を実行する連続予告演出実行手段（例えば演出制御用ＣＰＵ１２０がステップＳ７０５にて連続予告パターンを決定した後、ステップＳ６３５、Ｓ６４０にて決定した予告パターンなどに基づいて、ステップＳ５３５の処理を実行する部分など）とを備え、前記単独予告演出実行手段により実行される前記単独予告演出と、前記連続予告演出実行手段により実行される前記連続予告演出とに応じて、前記特定遊技状態に制御される割合（例えば図４１に示す大当り信頼度など）が異なる。
【手続補正４】
【補正対象書類名】明細書
【補正対象項目名】０００８
【補正方法】変更
【補正の内容】
【０００８】
このような構成によれば、単独予告演出と連続予告演出とに応じて、特定遊技状態に制御される信頼度が異なる。これにより、単独予告演出と連続予告演出との双方に対する遊技者の注目を高めて遊技興趣を向上させることができる。
【手続補正書】
【提出日】平成26年4月17日(2014.4.17)
【手続補正１】
【補正対象書類名】特許請求の範囲
【補正対象項目名】全文
【補正方法】変更
【補正の内容】
【特許請求の範囲】
【請求項１】
遊技機に１対１に対応して設けられ、
遊技媒体の貸与に使用可能な有価価値の大きさのうち、予め定められた単位貸与価値の大きさに相当する遊技媒体を遊技者に貸与するための単位貸与処理を行う貸与処理手段と、
計数手段にて計数した計数遊技媒体数を特定可能な遊技用記録媒体を受け付ける受付手段と、
該受付手段にて受け付けた前記遊技用記録媒体により特定された計数遊技媒体数を記憶する計数遊技媒体数記憶手段と、
該計数遊技媒体数記憶手段が記憶する計数遊技媒体数の範囲内の遊技媒体を払い出して遊技者に返却するための払出処理を行う払出処理手段と、
該払出処理にて払い出された遊技媒体数を、前記計数遊技媒体数記憶手段が記憶する計数遊技媒体数から減算更新する減算更新手段と、
を有する遊技用装置であって、
前記貸与処理手段は、前記単位貸与処理を行うときに、前記単位貸与価値の大きさに相当する遊技媒体のうち、予め定められた一単位の遊技媒体数を前記遊技機に払い出させるための処理と、該一単位未満の遊技媒体数を前記計数遊技媒体数記憶手段が記憶する計数遊技媒体数に加算する処理とを行うことを特徴とする遊技用装置。
【手続補正２】
【補正対象書類名】明細書
【補正対象項目名】０００７
【補正方法】変更
【補正の内容】
【０００７】
まず手段１に係る発明は、
遊技機（パチンコ機２）に１対１に対応して設けられ、
遊技媒体（パチンコ玉）の貸与に使用可能な有価価値の大きさ（プリペイド残額）のうち、予め定められた単位貸与価値の大きさ（１度数（＝１００円）の整数倍）に相当する遊技媒体を遊技者に貸与するための単位貸与処理を行う貸与処理手段（Ｓｂ２１の処理を行う制御ユニット３２８）と、
計数手段（計数払出ユニット３４８，３４８’）にて計数した計数遊技媒体数（持玉数）を特定可能な遊技用記録媒体（会員カード，ビジターカード）を受け付ける受付手段（カードリーダライタ３２７）と、
該受付手段にて受け付けた前記遊技用記録媒体により特定された計数遊技媒体数を記憶する計数遊技媒体数記憶手段（ＲＡＭ３２８ｂのビジターカードテーブル）と、
該計数遊技媒体数記憶手段が記憶する計数遊技媒体数の範囲内の遊技媒体を払い出して遊技者に返却するための払出処理を行う払出処理手段（Ｓｂ２５の処理を行う制御ユニット３２８）と、
該払出処理にて払い出された遊技媒体数を、前記計数遊技媒体数記憶手段が記憶する計数遊技媒体数から減算更新する減算更新手段（制御ユニット３２８）と、
を有する遊技用装置（カードユニット３）であって、
前記貸与処理手段は、前記単位貸与処理を行うときに、前記単位貸与価値の大きさに相当する遊技媒体（貸与玉数）のうち、予め定められた一単位（払出単位＝２５玉，又は上皿許容数＝１２５玉）の遊技媒体数を前記遊技機に払い出させるための処理（Ｓ３０３又はＳ３０２’）と、該一単位未満の遊技媒体数を前記計数遊技媒体数記憶手段が記憶する計数遊技媒体数に加算する処理（Ｓ３０５又はＳ３０３’）とを行うことを特徴とする遊技用装置である。
【手続補正３】
【補正対象書類名】明細書
【補正対象項目名】０００８
【補正方法】変更
【補正の内容】
【０００８】
これによれば、単位貸与処理を行うときに、単位貸与価値の大きさに相当する遊技媒体のうち、予め定められた一単位の遊技媒体数が遊技機から払い出されると共に、該一単位未満の遊技媒体数が、計数遊技媒体数記憶手段が記憶する計数遊技媒体数に加算されることにより、残存する有価価値の大きさからは常に単位貸与価値の大きさが減算されるので、該残存する有価価値の大きさには単位貸与価値の大きさ未満の端数が生じない。従って、該残存する有価価値の大きさを精算する精算装置を、単位貸与価値の大きさ未満の貨幣が払出可能なものにする必要が無い。
【手続補正書】
【提出日】平成25年12月25日(2013.12.25)
【手続補正１】
【補正対象書類名】特許請求の範囲
【補正対象項目名】全文
【補正方法】変更
【補正の内容】
【特許請求の範囲】
【請求項１】
ロボット手術システムであって：
プラットホームリンケージ；
該プラットホームリンケージに回転可能に連結された上面および該上面と対向する底面を有する配向プラットホーム；および
各々が該配向プラットホームに回転可能に連結された複数のアームであって、各々のアームが付随するマニピュレーターを移動可能に支持し、かつ該アームが複数の構成で固定可能であるように離脱可能に固定可能なリンクとジョイントとを含み、各マニピュレーターが、関連する最小侵襲的アパーチャを通って患者に挿入可能な付随する外科用器具を移動可能に支持し、支持された該外科用器具が、該上面より該配向プラットホームの底面により近接している、システム。
【請求項２】
前記プラットホームリンケージに対する前記配向プラットホームの回転が第１の回転軸の周りであり、該第１の回転軸が前記付随する最小侵襲的アパーチャの１つと整列されている、請求項１に記載のシステム。
【請求項３】
前記複数のアームの１つが、外科的切開を通って患者中に挿入可能である内視鏡を移動可能に支持する内視鏡マニピュレーターを備え、前記第１の回転軸が該外科的切開と整列されている、請求項２に記載のシステム。
【請求項４】
前記取り付けベースが、前記配向プラットホームが該ベースからほぼ下方に延びることを可能にする天井で支持される構造物を備える、請求項１に記載のシステム。
【請求項５】
前記プラットホームリンケージが、直線状レール、該レールに連結可能であるスライド可能なキャリッジ、および近位端上の該キャリッジおよび遠位端上の前記配向プラットホームに回転可能に連結可能な少なくとも１つのアームを備える、請求項１に記載のシステム。
【請求項６】
前記プラットホームリンケージが、前記配向プラットホームの三次元並進を収容する、請求項５に記載のシステム。
【請求項７】
前記プラットホームリンケージが、前記配向プラットホームの１つの軸の周りの回転を収容する、請求項５に記載のシステム。
【請求項８】
前記配向プラットホームが、前記複数のアームに回転可能に連結可能な４つのハブ、および前記プラットホームリンケージに連結可能な第５のハブを備え、該第５のハブが旋回点と整列し、そして該配向プラットホームの該旋回点の周りの回転を収容する、請求項１に記載のシステム。
【請求項９】
各々のアームが、前記固定可能なリンクおよびジョイントの一次元の並進を収容する、請求項１に記載のシステム。
【請求項１０】
各々のアームが、前記固定可能なリンクおよびジョイントの２つ、または３つの軸の周りの回転を収容する、請求項１に記載のシステム。
【請求項１１】
前記システムが、器具マニピュレーターを移動可能に支持するための３つのアーム、および画像キャプチャーデバイスマニピュレーターを移動可能に支持するための１つアームを備える、請求項１に記載のシステム。
【請求項１２】
少なくとも１つのアームが、少なくとも１つのバランスされた、固定可能な接続された平行四辺形リンケージ構造を含み、該平行四辺形リンケージ構造が１対の隣接する固定可能な回転ジョイン間に延び、該接続された平行四辺形構造がほぼ垂直方向の移動を可能にするように整列され、そして該隣接する回転ジョイントが垂直軸の周りの旋回移動を収容する、請求項１に記載のシステム。
【請求項１３】
前記プラットホームリンケージおよび前記配向プラットホームに連結されたブレーキシステムをさらに備え、該ブレーキシステムが、先に少なくとも実質的に固定された構成にされた前記固定可能なリンクおよびジョイントの関節運動を阻害し、該ブレーキシステムが該定可能なリンクおよびジョイントを、該固定可能なリンクおよびジョイントが関節運動され得る構成に解放するためのブレーキ解放アクチュエーターを含む、請求項１に記載のシステム。
【請求項１４】
前記複数の固定可能なリンクおよびジョイントをサーボ機構に連結するジョイントセンサーシステムをさらに備え、該センサーシステムがジョイント構成信号を生成し、該サーボ機構がコンピューターを含み、そして該ジョイントセンサーシステムが該ジョイント構成信号を該コンピューターに伝達する、請求項１に記載のロボット手術システム。
【請求項１５】
取り付けベースをさらに備え、前記コンピューターが、該取り付けベースに対して固定された参照座標系と、前記ジョイント構成信号を用いる器具との間の座標系変換を算出する、請求項１４に記載のロボット手術システム。
【請求項１６】
少なくとも１つのマニピュレーターが、マニピュレーターベースが水平に対して固定された角度であるように機械的に拘束される、請求項１に記載のロボット手術システム。
【請求項１７】
前記少なくとも１つのマニピュレーターが、空間中の旋回点の周りで前記器具の球状の旋回を拘束するためのオフセット遠隔中心リンケージを備える、請求項１６に記載のロボット手術システム。
【請求項１８】
前記オフセット遠隔中心マニピュレーターが、第１の軸の周りの回転のために平行四辺形のリンケージベースに回転可能に連結されたマニピュレーターベースを有する関節リンケージアセンブリを備える請求項１７に記載のシステムであって、
該平行四辺形のリンケージベースが複数の駆動されるリンクおよびジョイントによって器具ホルダーに連結され、
前記器具が該器具ホルダーに取り付けられ、そして前記シャフトが少なくとも１つの自由度で移動されるとき、該駆動されるリンクおよびジョイントが、該器具の細長いシャフトを旋回点に対して拘束するように平行四辺形を画定し、
ここで、該第１の軸および該平行四辺形のリンケージベースに隣接する該平行四辺形の第１の辺が該旋回点で該シャフトと交差し、そして該平行四辺形の第１の辺が該第１の軸から角度がオフセットされている、システム。
【請求項１９】
前記配向プラットホームに連結可能なディスプレイをさらに備える、請求項１に記載のロボット手術システム。
【請求項２０】
前記ディスプレイが、インターアクティブテレビジョンである、請求項１９に記載のロボット手術システム。
【請求項２１】
ロボット手術システムであって、以下：
複数の外科用器具であって、各々の器具が関連する最小侵襲的アパーチャを通って患者中に挿入可能な、複数の外科用器具；
配向プラットホーム；
該配向プラットホームを移動可能に支持するプラットホームリンケージであって、該配向プラットホームが第１のハブを介して該プラットホームリンケージに回転可能に連結されている、プラットホームリンケージ；および
各々が該配向プラットホームに回転可能に連結される複数のアームであって、各々のアームが付随するマニピュレーターを移動可能に支持し、かつ該アームが複数の構成で固定可能であるように離脱可能に固定可能なリンクとジョイントとを含み、各マニピュレーターが、付随する外科用器具を移動可能に支持する、複数のアーム；を備え、
該複数のアームの各々が、対応する第２のハブを介して該配向プラットホームに回転可能に連結され、該第１のハブに隣接する該配向プラットホームのエッジが、第１のエッジを備え、そして該第１のハブが、複数の第２のハブのいずれよりも該第１のエッジにより近接している、システム。
【手続補正書】
【提出日】平成26年5月26日(2014.5.26)
【手続補正１】
【補正対象書類名】特許請求の範囲
【補正対象項目名】全文
【補正方法】変更
【補正の内容】
【特許請求の範囲】
【請求項１】
遊技者の操作に起因して、遊技者が価値を得る可能性がある通常遊技モードから遊技者が価値を得る可能性が無い試打モードに切り替える遊技モード切替手段と、
前記試打モードには遊技が可能な遊技状態が複数種類存在し、該複数種類の遊技状態の中から前記試打モードで遊技を行いたい遊技状態の選択を行う試打遊技状態選択手段と、
前記試打モードを終了させる試打モード終了手段と、を備え、
前記通常遊技モード、又は前記試打モードのいずれであっても、遊技機内に封入された遊技球を循環させて遊技する構成であり、少なくとも、遊技機自体が管理する持球の数情報が存在することを条件に遊技球の発射を可能とし、遊技領域への遊技球発射の判断に起因して前記持球の数情報を減算し、前記遊技領域に設けられた入賞口に発射した遊技球が入球したことに起因して前記持球の数情報に加算するように設定し、
さらに、前記遊技モード切替手段によって前記通常遊技モードから前記試打モードに切り替えられたことに起因して、前記持球の数情報が所定数加算される試打用持球加算手段と、
前記試打モード終了手段によって試打モードを終了すると前記持球の数情報をリセットする試打用持球リセット手段と、
電源投入時に電源遮断直前の遊技状態から復帰が可能とするためのバックアップ機能と、
前記電源遮断直前の遊技状態の記憶を消去するためのＲＡＭクリアスイッチと、を備え、
電源遮断直前の遊技状態が前記通常遊技モードであった場合には、前記バックアップ機能により、電源復帰後に電源遮断直前の遊技状態に復帰が可能となるが、
電源遮断直前の遊技状態が前記試打モードであった場合には、電源復帰後には、前記電源遮断直前の遊技状態の記憶が消去された状態に移行するようにした
ことを特徴とする弾球遊技機。
【請求項２】
遊技者の操作に起因して、遊技者が価値を得る可能性がある通常遊技モードから遊技者が価値を得る可能性が無い試打モードに切り替える遊技モード切替手段と、
前記試打モードには遊技が可能な遊技状態が複数種類存在し、該複数種類の遊技状態の中から前記試打モードで遊技を行いたい遊技状態の選択を行う試打遊技状態選択手段と、
前記試打モードを終了させる試打モード終了手段と、を備え、
前記通常遊技モード、又は前記試打モードのいずれであっても、遊技機内に封入された遊技球を循環させて遊技する構成であり、少なくとも、遊技機自体が管理する持球の数情報が存在することを条件に遊技球の発射を可能とし、遊技領域への遊技球発射の判断に起因して前記持球の数情報を減算し、前記遊技領域に設けられた入賞口に発射した遊技球が入球したことに起因して前記持球の数情報に加算するように設定し、
さらに、前記遊技モード切替手段によって前記通常遊技モードから前記試打モードに切り替えられたことに起因して、前記持球の数情報が所定数加算される試打用持球加算手段と、
前記試打モード終了手段によって試打モードを終了すると前記持球の数情報をリセットする試打用持球リセット手段と、を備え、
前記試打モード中に前記持球の数情報が所定時間変化していない場合には、前記試打モード終了手段によって前記試打モードを終了させる
ことを特徴とする弾球遊技機。
【請求項３】
遊技者の操作に起因して、遊技者が価値を得る可能性がある通常遊技モードから遊技者が価値を得る可能性が無い試打モードに切り替える遊技モード切替手段と、
前記試打モードには遊技が可能な遊技状態が複数種類存在し、該複数種類の遊技状態の中から前記試打モードで遊技を行いたい遊技状態の選択を行う試打遊技状態選択手段と、
前記試打モードを終了させる試打モード終了手段と、を備え、
前記通常遊技モード、又は前記試打モードのいずれであっても、遊技機内に封入された遊技球を循環させて遊技する構成であり、少なくとも、遊技機自体が管理する持球の数情報が存在することを条件に遊技球の発射を可能とし、遊技領域への遊技球発射の判断に起因して前記持球の数情報を減算し、前記遊技領域に設けられた入賞口に発射した遊技球が入球したことに起因して前記持球の数情報に加算するように設定し、
さらに、前記遊技モード切替手段によって前記通常遊技モードから前記試打モードに切り替えられたことに起因して、前記持球の数情報が所定数加算される試打用持球加算手段と、
前記試打モード終了手段によって試打モードを終了すると前記持球の数情報をリセットする試打用持球リセット手段と、を備え、
前記試打モードを遊技する時間又は回数には制限が設定され、該制限に達した以降は、前記遊技モード切替手段による前記通常モードから前記試打モードへの切り替えが行えない
ことを特徴とする弾球遊技機。
【手続補正２】
【補正対象書類名】明細書
【補正対象項目名】００１４
【補正方法】変更
【補正の内容】
【００１４】
請求項１記載の遊技機は、
遊技者の操作に起因して、遊技者が価値を得る可能性がある通常遊技モードから遊技者が価値を得る可能性が無い試打モードに切り替える遊技モード切替手段と、
前記試打モードには遊技が可能な遊技状態が複数種類存在し、該複数種類の遊技状態の中から前記試打モードで遊技を行いたい遊技状態の選択を行う試打遊技状態選択手段と、
前記試打モードを終了させる試打モード終了手段と、を備え、
前記通常遊技モード、又は前記試打モードのいずれであっても、遊技機内に封入された遊技球を循環させて遊技する構成であり、少なくとも、遊技機自体が管理する持球の数情報が存在することを条件に遊技球の発射を可能とし、遊技領域への遊技球発射の判断に起因して前記持球の数情報を減算し、前記遊技領域に設けられた入賞口に発射した遊技球が入球したことに起因して前記持球の数情報に加算するように設定し、
さらに、前記遊技モード切替手段によって前記通常遊技モードから前記試打モードに切り替えられたことに起因して、前記持球の数情報が所定数加算される試打用持球加算手段と、
前記試打モード終了手段によって試打モードを終了すると前記持球の数情報をリセットする試打用持球リセット手段と、
電源投入時に電源遮断直前の遊技状態から復帰が可能とするためのバックアップ機能と、
前記電源遮断直前の遊技状態の記憶を消去するためのＲＡＭクリアスイッチと、を備え、
電源遮断直前の遊技状態が前記通常遊技モードであった場合には、前記バックアップ機能により、電源復帰後に電源遮断直前の遊技状態に復帰が可能となるが、
電源遮断直前の遊技状態が前記試打モードであった場合には、電源復帰後には、前記電源遮断直前の遊技状態の記憶が消去された状態に移行するようにした
ことを特徴とする弾球遊技機。
【手続補正３】
【補正対象書類名】明細書
【補正対象項目名】００３６
【補正方法】変更
【補正の内容】
【００３６】
また、試打モードにおいても、通常遊技モードと同様に持球の数情報が変化するので、持球の増減の感覚が通常遊技モードと同様に実感できる。さらに、試打用の遊技球を遊技者が用意する必要がなく、試打用持球加算手段によって試打用に用意された持球の数情報と、試打モード中に変化した（獲得した）持球の数情報とは不正に利用される恐れがない。
【手続補正書】
【提出日】平成26年4月24日(2014.4.24)
【手続補正１】
【補正対象書類名】特許請求の範囲
【補正対象項目名】全文
【補正方法】変更
【補正の内容】
【特許請求の範囲】
【請求項１】
内側に１ないし複数の穴を有すると共に、その外縁から該穴に向かう１つないし複数の切断線を有することを特徴とするマイクロニードルパッチの保護離型シート。
【請求項２】
基板が柔軟なマイクロニードルアレイにより構成されるマイクロニードルパッチの一部分であり、貼付や容器内収納の際マイクロニードルアレイの保持部分を兼ねることを特徴とする請求項１に記載のマイクロニードルパッチの保護離型シート。
【請求項３】
前記穴とマイクロニードルアレイ基板との間に隙間を有することを特徴とする請求項１又は２に記載の保護離型シート。
【請求項４】
前記切断線の外縁部分に、切り込みが付されていることを特徴とする請求項１又は２に記載の保護離型シート。
【請求項５】
前記切断線が、前記穴の両側に対称的に配置されていることを特徴とする請求項１又は２に記載の保護離型シート。
【請求項６】
内側に１個の穴を有し、複数のマイクロニードルパッチを保持できることを特徴とする請求項１又は２に記載の保護離型シート
【請求項７】
内側に複数の穴を有し、複数のマイクロニードルパッチを保持できることを特徴とする請求項１又は２に記載の保護離型シート。
【請求項８】
前記穴の１つから他の穴に向かう切断線をも有することを特徴とする請求項１又は２に記載の保護離型シート。
【請求項９】
前記切断線がミシン目であることを特徴とする請求項１又は２に記載の保護離型シート。
【請求項１０】
請求項１から請求項９のいずれか１項に記載の保護離型シートを備えるマイクロニードルパッチ。
【請求項１１】
請求項１０に記載のマイクロニードルパッチの保護離型シート部分を上下から挟んで保持することを特徴とするマイクロニードルパッチ保護ケース。
【手続補正２】
【補正対象書類名】明細書
【補正対象項目名】００２９
【補正方法】変更
【補正の内容】
【００２９】
本実施例に用いたマイクロニードルパッチを図２に示す。マイクロニードルアレイ２１の形状が勾玉型となっている点を除き、材質や使用方法は実施例１と同じである。図２はマイクロニードルの面を表として表記しており、粘着シート２２はマイクロニードルアレイ及び保護離型シートの裏面に付されているので破線で記載している。実施例３〜９でも同様である。本実施例の粘着シート２２は、粘着シートのマイクロニードルアレイをなるべく目に近づけて貼付するため、底の部分の幅が狭くなっている。本実施例の保護離型シート２３の穴はマイクロニードルアレイ２１に密着しており、間に隙間を設けていない。
【手続補正書】
【提出日】平成26年6月23日(2014.6.23)
【手続補正１】
【補正対象書類名】明細書
【補正対象項目名】００１９
【補正方法】変更
【補正の内容】
【００１９】
選択スイッチ８ａあるいは８ｂの操作によって、温熱モードが選択されると、プリント基板１０の制御回路は、熱伝素子３の接触ヘッド２側の面が放熱する向きの直流電圧を熱伝素子３に供給するように制御する。これにより、接触ヘッド２は加熱される。接触ヘッド２の温度は、常にヘッド温度センサ７ａにより計測され、当該温度データはプリント基板１０に送信される。
【手続補正２】
【補正対象書類名】明細書
【補正対象項目名】００２１
【補正方法】変更
【補正の内容】
【００２１】
選択スイッチ８ａあるいは８ｂによって、冷却モードが選択されると、プリント基板１０の制御回路は、温熱モードが選択された場合と逆の方向の直流電圧を熱伝素子３に供給するように制御する。これにより、接触ヘッド２は吸熱される。
【手続補正書】
【提出日】平成26年3月18日(2014.3.18)
【手続補正１】
【補正対象書類名】特許請求の範囲
【補正対象項目名】全文
【補正方法】変更
【補正の内容】
【特許請求の範囲】
【請求項１】
以下を含む医薬組成物:
有効量の顆粒球マクロファージコロニー刺激因子(GM-CSF)または当該GM-CSFと少なくとも90％配列同一性を有するその機能的ホモログ;
ここで、当該医薬組成物は、対象の肺の系の細菌および／または真菌および／またはウイルスの感染もしくはコロニー形成に関連する肺疾患の症候を緩和するためのおよび／または処置のためのものであり、かつ、当該医薬組成物は肺投与により投与される。
【請求項２】
前記処置が当該対象の肺の系における感染に対する防御を増大させるものである、請求項1に記載の医薬組成物。
【請求項３】
前記GM-CSFが、127個のアミノ酸の成熟GM-CSFである、請求項1に記載の医薬組成物。
【請求項４】
前記機能的ホモログが、配列番号：1と少なくとも90％配列同一性を有する、請求項1に記載の医薬組成物。
【請求項５】
気管内、気管支内、もしくは肺胞内投与により、または、噴霧用溶液もしくは懸濁液もしくは粉末の吸入により投与される、請求項1に記載の医薬組成物。
【請求項６】
前記肺疾患が以下の群から選択される、請求項1に記載の医薬組成物:
ニューモシスチス・カリニ肺炎、市中肺炎、院内肺炎、および人口呼吸器関連肺炎を包含するが、これに限定しない細菌および／または真菌および／またはウイルスの感染もしくはコロニー形成を伴う肺炎;
細菌および／または真菌および／またはウイルスの感染もしくはコロニー形成を伴う嚢胞性線維症;
細菌および／または真菌および／またはウイルスの感染もしくはコロニー形成を伴う気管支炎;
細菌および／または真菌および／またはウイルスの感染もしくはコロニー形成を伴う気管支拡張症;
閉塞性細気管支炎を含む細菌および／または真菌および／またはウイルスの感染もしくはコロニー形成を伴う細気管支炎; および
細菌および／または真菌および／またはウイルスの感染もしくはコロニー形成を伴う閉塞性細気管支炎性器質化肺炎(BOOP)。
【請求項７】
気管支肺胞洗浄により投与される、請求項1に記載の医薬組成物。
【請求項８】
ブラインド気管洗浄により投与される、請求項1に記載の医薬組成物。
【請求項９】
噴霧用溶液または懸濁液として投与される、請求項1に記載の医薬組成物。
【請求項１０】
噴霧用エアロゾルまたは吸入用粉末形態として投与される、請求項1に記載の医薬組成物。
【請求項１１】
GM-CSFまたは当該GM-CSFと少なくとも90％配列同一性を有するその機能的ホモログの、ペグ化、リポソームまたはナノ粒子の調製された形態を含む、請求項1に記載の医薬組成物。
【請求項１２】
気管支鏡検査中に直接的適用により投与される、請求項1に記載の医薬組成物。
【請求項１３】
前記対象が哺乳動物である、請求項1に記載の医薬組成物。
【請求項１４】
前記哺乳動物がヒトである、請求項13に記載の医薬組成物。
【請求項１５】
前記ヒトが12歳齢よりも年齢が若い子供である、請求項14に記載の医薬組成物。
【請求項１６】
前記ヒトが12歳齢よりも年齢が高い成人である、請求項14に記載の医薬組成物。
【請求項１７】
前記対象が、肺の系の細菌および／または真菌および／またはウイルスの感染もしくはコロニー形成を伴う嚢胞性線維症に罹患している、請求項1に記載の医薬組成物。
【請求項１８】
前記対象が、嚢胞性線維症、および、マイコバクテリウム・アブセサス(Mycobacterium abscessus)および/またはシュードモナス・エルジノーサ(Pseudomonas aeruginosa)および/またはアクロモバクター・キシロスオキシダンス(Achromobacter xylosoxidans)による肺感染に罹患している、請求項1に記載の医薬組成物。
【手続補正書】
【提出日】平成26年7月30日(2014.7.30)
【手続補正１】
【補正対象書類名】特許請求の範囲
【補正対象項目名】請求項１
【補正方法】変更
【補正の内容】
【請求項１】
複数種類の図柄を変動表示させる図柄変動ゲームを表示する表示装置を備え、前記図柄変動ゲームにおいて予め定められた大当り結果が表示された場合には、遊技者に有利となる大当り遊技が付与される遊技機において、
図柄変動ゲームにおいて、複数種類の段階演出を予め決められた順番で実行させて遊技者が有利な状態となる可能性を段階的に報知する第１ステップアップ予告演出及び第２ステップアップ予告演出を実行させる予告演出実行手段と、
第１ステップアップ予告演出及び第２ステップアップ予告演出のうち、図柄変動ゲームに実行させるステップアップ予告演出の種類を決定し、決定したステップアップ予告演出において実行させる段階演出数を決定する予告演出決定手段と、
前記予告演出実行手段が実行させたステップアップ予告演出の種類、及びその段階演出数を記憶する予告演出記憶手段と、を備え、
前記予告演出決定手段は、
ステップアップ予告演出が以前に実行されていた場合、前記予告演出記憶手段が記憶した前回のステップアップ予告演出の種類と、その段階演出数を読み出し、
読み出した前回のステップアップ予告演出の種類に基づき、今回実行させるステップアップ予告演出の種類を決定すると共に、読み出した段階演出数に基づき、今回実行させるステップアップ予告演出における段階演出数を決定することを特徴とする遊技機。
【手続補正２】
【補正対象書類名】明細書
【補正対象項目名】０００７
【補正方法】変更
【補正の内容】
【０００７】
上記問題点を解決するために、請求項１に記載の発明は、複数種類の図柄を変動表示させる図柄変動ゲームを表示する表示装置を備え、前記図柄変動ゲームにおいて予め定められた大当り結果が表示された場合には、遊技者に有利となる大当り遊技が付与される遊技機において、図柄変動ゲームにおいて、複数種類の段階演出を予め決められた順番で実行させて遊技者が有利な状態となる可能性を段階的に報知する第１ステップアップ予告演出及び第２ステップアップ予告演出を実行させる予告演出実行手段と、第１ステップアップ予告演出及び第２ステップアップ予告演出のうち、図柄変動ゲームに実行させるステップアップ予告演出の種類を決定し、決定したステップアップ予告演出において実行させる段階演出数を決定する予告演出決定手段と、前記予告演出実行手段が実行させたステップアップ予告演出の種類、及びその段階演出数を記憶する予告演出記憶手段と、を備え、前記予告演出決定手段は、ステップアップ予告演出が以前に実行されていた場合、前記予告演出記憶手段が記憶した前回のステップアップ予告演出の種類と、その段階演出数を読み出し、読み出した前回のステップアップ予告演出の種類に基づき、今回実行させるステップアップ予告演出の種類を決定すると共に、読み出した段階演出数に基づき、今回実行させるステップアップ予告演出における段階演出数を決定することを要旨とする。
【手続補正書】
【提出日】平成26年7月28日(2014.7.28)
【手続補正１】
【補正対象書類名】特許請求の範囲
【補正対象項目名】全文
【補正方法】変更
【補正の内容】
【特許請求の範囲】
【請求項１】
遊技盤に形成された遊技領域にセンター役物が設けられており、発射装置で弾発された遊技球をこのセンター役物よりも右側に流下させることが可能な遊技機であって、
前記センター役物は、
変動図柄を表示する図柄表示装置の周囲を取り囲む装飾枠と、
前記装飾枠の右側に設けられ、前記遊技球が入賞可能な入賞口を有する入賞装置と、
前記装飾枠の後側であって、かつ前記入賞装置よりも上流側に、前記装飾枠の右側面
から突出するように形成された鍔部と、
前記装飾枠の前側において、少なくとも前記鍔部と対向する位置に設けられた装飾部
材と、を備え、
少なくとも、前記装飾部材の後面と、装飾枠の右側面と、鍔部の前面とで囲まれた領域には、弾発された遊技球を案内する流下通路が形成されており、
前記装飾部材の後面及び前記鍔部の前面には、前記流下通路を流下する遊技球を減速させるリブが形成されていることを特徴とする遊技機。
【請求項２】
前記鍔部の下流側に、前記遊技球が流入可能なアウト口が設けられている請求項１記載の遊技機。
【請求項３】
前記装飾部材の後面に形成されたリブと、前記鍔部の前面に形成されたリブとが交互に配置されるように形成されている請求項１又は２記載の遊技機。
【請求項４】
前記リブは、前記流下通路を流下する遊技球の流下方向と直交する方向に形成されている請求項１〜３のいずれかに記載の遊技機。
【手続補正２】
【補正対象書類名】明細書
【補正対象項目名】００１０
【補正方法】変更
【補正の内容】
【００１０】
本発明は、
（１）遊技盤に形成された遊技領域にセンター役物が設けられており、発射装置で弾発された遊技球をこのセンター役物よりも右側に流下させることが可能な遊技機であって、前記センター役物は、変動図柄を表示する図柄表示装置の周囲を取り囲む装飾枠と、前記装飾枠の右側に設けられ、前記遊技球が入賞可能な入賞口を有する入賞装置と、前記装飾枠の後側であって、かつ前記入賞装置よりも上流側に、前記装飾枠の右側面から突出するように形成された鍔部と、前記装飾枠の前側において、少なくとも前記鍔部と対向する位置に設けられた装飾部材と、を備え、少なくとも、前記装飾部材の後面と、装飾枠の右側面と、鍔部の前面とで囲まれた領域には、弾発された遊技球を案内する流下通路が形成されており、前記装飾部材の後面及び前記鍔部の前面には、前記流下通路を流下する遊技球を減速させるリブが形成されていることを特徴とする遊技機、
（２）前記鍔部の下流側に、前記遊技球が流入可能なアウト口が設けられている上記（１）記載の遊技機、
（３）前記装飾部材の後面に形成されたリブと、前記鍔部の前面に形成されたリブとが交互に配置されるように形成されている上記（１）又は（２）記載の遊技機、
（４）前記リブは、前記流下通路を流下する遊技球の流下方向と直交する方向に形成されている上記（１）〜（３）のいずれかに記載の遊技機、
を要旨とする。
【手続補正３】
【補正対象書類名】明細書
【補正対象項目名】００４５
【補正方法】変更
【補正の内容】
【００４５】
基板８１は、大入賞装置２４を遊技盤１１に取り付ける際の取付基板となるもので、本実施の形態では、遊技盤１１に取付固定するための取付孔８５が５カ所に設けられている。また、基板８１には、通常入賞口８６が一体的に形成されている。通常入賞口８６は、上方に向けて開口形成されており、遊技球Ｂが入賞可能な大きさに形成されている。通常入賞口８６に遊技球Ｂが入賞すると、所定数（例えば１５個）の賞球を払い出すように構成されている。なお、本実施の形態では、基板８１に対して大入賞装置２４と通常入賞口８６を設けているが、通常入賞口８６は大入賞装置２４とは別個に設けてもよい。
【手続補正書】
【提出日】平成26年3月31日(2014.3.31)
【手続補正１】
【補正対象書類名】特許請求の範囲
【補正対象項目名】全文
【補正方法】変更
【補正の内容】
【特許請求の範囲】
【請求項１】
遊技媒体を貯留する貯留手段と、その貯留手段から供給された遊技媒体を発射する発射手段と、その発射手段により発射された遊技媒体を回収する回収手段と、その回収手段により回収された遊技媒体を前記貯留手段へ排出する排出手段と、を備え、所定数の遊技媒体を機内で循環させながら遊技を行う遊技機であって、
前記貯留手段に貯留されている遊技媒体の数を判断する第１判断手段と、
前記遊技機の機内を循環する前記所定数の遊技媒体が全て前記貯留手段に貯留されるべき状態となった場合に、前記第１判断手段により判断された前記貯留手段に貯留されている遊技媒体の数が前記所定数であるかを判断する第２判断手段と、
その第２判断手段により、前記貯留手段に貯留されている遊技媒体の数が前記所定数とは異なる数であると判断された場合に、所定の報知を行う報知手段と、を備えることを特徴とする遊技機。
【請求項２】
一の遊技媒体が前記発射手段により発射されてから前記回収手段により回収され前記排出手段により前記貯留手段に排出されて貯留されるまでに要する時間を第１時間とした場合に、
前記遊技機は、
前記発射手段により発射された遊技媒体に基づいて抽選を行う抽選手段と、
その抽選手段の抽選結果に基づいて遊技者に所定の遊技価値を付与する遊技価値付与手段と、
その遊技価値付与手段により遊技者に所定の遊技価値を付与した後に所定の演出を実行する演出実行手段と、
その演出実行手段により前記所定の演出が実行されることを契機として、前記発射手段による遊技媒体の発射を停止する停止手段と、を備え、
前記第２判断手段は、前記停止手段により前記遊技媒体の発射が停止されてから前記第１時間以上経過した場合に、前記遊技機の機内を循環する前記所定数の遊技媒体が全て前記貯留手段に貯留されるべき状態となったとして、前記第１判断手段により判断された前記貯留手段に貯留されている遊技媒体の数が前記所定数であるかを判断することを特徴とする請求項１記載の遊技機。
【手続補正２】
【補正対象書類名】明細書
【補正対象項目名】０００８
【補正方法】削除
【補正の内容】
【手続補正３】
【補正対象書類名】明細書
【補正対象項目名】００１１
【補正方法】削除
【補正の内容】
【手続補正書】
【提出日】平成26年4月10日(2014.4.10)
【手続補正１】
【補正対象書類名】特許請求の範囲
【補正対象項目名】全文
【補正方法】変更
【補正の内容】
【特許請求の範囲】
【請求項１】
光を照射された被検体から発生する音響波を検出して複数の時系列の検出信号に変換する複数の検出素子と、
前記複数の時系列の検出信号から前記被検体から発生した前記音響波に対して位相反転した信号の強度を低減することにより補正された検出信号を生成する信号補正部と、
前記補正された検出信号から前記被検体の画像データを形成する画像処理部と、
を有することを特徴とする被検体情報取得装置。
【請求項２】
前記被検体から発生した前記音響波の位相と逆位相の信号をテンプレートとして記憶した記憶部を更に有し、
前記信号補正部は、前記複数の時系列の検出信号のうち前記テンプレートとして記憶された前記逆位相の信号との相関が所定の閾値以上である検出信号の強度を低減して前記補正された検出信号を生成することを特徴とする請求項１に記載の被検体情報取得装置。
【請求項３】
前記信号補正部は、前記複数の時系列の検出信号のうち前記テンプレートとして記憶された前記逆位相の信号との相関が所定の閾値以上である検出信号を有する時系列の検出信号の強度を低減して前記補正された検出信号を生成することを特徴とする請求項２に記載の被検体情報取得装置。
【請求項４】
前記信号補正部は、前記複数の時系列の検出信号のうち前記テンプレートとして記憶された前記逆位相の信号との相関が所定の閾値以上である検出信号を有する時系列の検出信号を削除して前記補正された検出信号を生成することを特徴とする請求項３に記載の被検体情報取得装置。
【請求項５】
光を照射された被検体から発生する音響波を検出して複数の時系列の検出信号に変換する複数の検出素子と、
前記複数の検出素子のうち前記被検体と音響的に接触していない検出素子を判別する判別部と、
前記複数の時系列の検出信号に基づいて前記被検体の画像データを形成する画像処理部と、
を有し、
前記画像処理部は、前記複数の時系列の検出信号のうち前記判別部により判別された前記被検体と音響的に接触していない検出素子から出力された時系列の検出信号を用いずに、前記被検体の前記画像データを形成する
ことを特徴とする被検体情報取得装置。
【請求項６】
前記判別部は、前記複数の時系列の検出信号に基づいて前記被検体と音響的に接触していない検出素子を判別することを特徴とする請求項５に記載の被検体情報取得装置。
【請求項７】
前記被検体から発生した前記音響波の位相と逆位相の信号をテンプレートとして記憶した記憶部を更に有し、
前記判別部は、前記複数の時系列の検出信号のうち前記テンプレートとして記憶された逆位相の信号との相関が所定の閾値以上である検出信号を出力した検出素子を前記前記被検体と音響的に接触していない検出素子として判別することを特徴とする請求項６に記載の被検体情報取得装置。
【請求項８】
前記被検体を保持する保持部を有し、
前記記憶部は、前記被検体から発生した音響波が前記保持部で反射して発生した反射波の検出信号を前記テンプレートとして記憶することを特徴とする請求項２、３、４、および７のいずれか１項に記載の被検体情報取得装置。
【手続補正２】
【補正対象書類名】明細書
【補正対象項目名】発明の名称
【補正方法】変更
【補正の内容】
【発明の名称】被検体情報取得装置
【手続補正３】
【補正対象書類名】明細書
【補正対象項目名】０００１
【補正方法】変更
【補正の内容】
【０００１】
本発明は、被検体情報取得装置に関する。
【手続補正４】
【補正対象書類名】明細書
【補正対象項目名】０００７
【補正方法】変更
【補正の内容】
【０００７】
本発明は以下の構成を採用する。すなわち、光を照射された被検体から発生する音響波を検出して複数の時系列の検出信号に変換する複数の検出素子と、前記複数の時系列の検出信号から前記被検体から発生した前記音響波に対して位相反転した信号の強度を低減することにより補正された検出信号を生成する信号補正部と、前記補正された検出信号から前記被検体の画像データを形成する画像処理部と、を有することを特徴とする被検体情報取得装置である。
【手続補正５】
【補正対象書類名】明細書
【補正対象項目名】０００８
【補正方法】変更
【補正の内容】
【０００８】
本発明はまた、以下の構成を採用する。すなわち、光を照射された被検体から発生する音響波を検出して複数の時系列の検出信号に変換する複数の検出素子と、前記複数の検出素子のうち前記被検体と音響的に接触していない検出素子を判別する判別部と、前記複数の時系列の検出信号に基づいて前記被検体の画像データを形成する画像処理部と、を有し、
前記画像処理部は、前記複数の時系列の検出信号のうち前記判別部により判別された前記被検体と音響的に接触していない検出素子から出力された時系列の検出信号を用いずに、前記被検体の前記画像データを形成することを特徴とする被検体情報取得装置である。
【手続補正書】
【提出日】平成26年4月11日(2014.4.11)
【手続補正１】
【補正対象書類名】特許請求の範囲
【補正対象項目名】全文
【補正方法】変更
【補正の内容】
【特許請求の範囲】
【請求項１】
回転操作を行うための操作器具が係合される係合部を有し締結に必要なトルクよりさらに大きいトルクで回転させると破断して分離し得る部位である分離部が頭部に形成されたネジによって、２以上の構成部材が連結可能に構成された遊技機であって、
前記ネジが、破断する以前の状態における分離部の、前記係合部を除く少なくとも一部を覆う防護部材を備え、
前記防護部材が横孔を備えることを特徴とする遊技機。
【請求項２】
前記構成部材に周壁部が形成され、前記防護部材が前記周壁部に包囲された状態で前記ネジが螺入され、前記防護部材と前記周壁部との間に固化材料が注入され固化されていることを特徴とする請求項１に記載の遊技機。